(57)【要約】【課題】蒸れを低減して装着感を向上しつつ、身体に対して適切な位置に装着し続けることによって体液の漏れを抑制できる吸収性物品を提供する。【解決手段】吸収性物品（１）は、互いに直交する長手方向（Ｌ）及び幅方向（Ｗ）と、液透過性の表面シート（１０）と、通気性かつ液不透過性の裏面シート（２０）と、少なくともパルプ（３１）と高吸収性ポリマー（３２）を有する吸収体（３０）と、裏面シートの非肌対向面に配置された粘着部（５０）と、を有する。吸収体の外縁は、吸収性物品の外縁よりも内側に位置している。吸収体の外縁と吸収性物品の外縁との間の外側領域（ＲＯ）には、高吸収性ポリマーと粘着部が厚み方向に重なって配置された重畳部（Ｐ１）が設けられている。【選択図】図３
2019162298.tif 000002
【特許請求の範囲】
【請求項１】
互いに直交する長手方向及び幅方向と、
液透過性の表面シートと、
通気性かつ液不透過性の裏面シートと、
前記表面シートと前記裏面シートの間に配置され、少なくともパルプと高吸収性ポリマーを有する吸収体と、
前記裏面シートの非肌対向面に配置された粘着部と、を有する吸収性物品であって、
前記吸収体の外縁は、前記吸収性物品の外縁よりも内側に位置しており、
前記吸収体の外縁と前記吸収性物品の外縁との間の外側領域には、前記高吸収性ポリマーと前記粘着部が厚み方向に重なって配置された重畳部が設けられている、吸収性物品。
【請求項２】
前記外側領域には、前記高吸収性ポリマー及び前記粘着部が配置されていない非配置部が設けられている、請求項１に記載の吸収性物品。
【請求項３】
前記外側領域には、前記高吸収性ポリマーが配置され、かつ前記粘着部が配置されていないポリマー配置部が設けられている、請求項１又は請求項２に記載の吸収性物品。
【請求項４】
前記外側領域には、前記粘着部が配置され、かつ前記高吸収性ポリマーが配置されていない粘着配置部が設けられ、
前記粘着配置部と前記ポリマー配置部は、平面視にて隣接している、請求項３に記載の吸収性物品。
【請求項５】
前記外側領域は、前記吸収体側の第１領域と、前記吸収性物品の外縁側の第２領域と、を有し、
前記第１領域における前記高吸収性ポリマーの密度は、前記第２領域の前記高吸収性ポリマーの密度よりも高い、請求項１から請求項４のいずれか１項に記載の吸収性物品。
【請求項６】
前記吸収体は、前記吸収体の前記厚み方向の中心を含む中央領域と、前記中央領域よりも前記厚み方向の外側に位置する表面側領域と、を有し、
前記中央領域における前記高吸収性ポリマーの密度は、前記表面側領域の前記高吸収性ポリマーの密度よりも高い、請求項１から請求項５のいずれか１項に記載の吸収性物品。
【請求項７】
前記吸収体の肌対向面側の親水度は、前記吸収体の非肌対向面側の親水度よりも高い、請求項１から請求項６のいずれか１項に記載の吸収性物品。
【請求項８】
前記外側領域には、少なくとも前記表面シート及び前記裏面シートを前記厚み方向に圧縮した圧搾部が設けられており、
前記圧搾部は、前記吸収性物品の外縁に沿って配置されている、請求項１から請求項７のいずれか１項に記載の吸収性物品。
【請求項９】
前記圧搾部では、前記表面シート、前記裏面シート及び前記粘着部が前記厚み方向に圧縮されている、請求項８に記載の吸収性物品。
【請求項１０】
前記裏面シートの伸長強度は、前記表面シートの伸長強度よりも高い、請求項９に記載の吸収性物品。
【請求項１１】
前記裏面シートの前記長手方向の伸長強度に対する前記裏面シートの前記幅方向の伸長強度の比率は、０．７以上１．３以下である、請求項１０に記載の吸収性物品。
【請求項１２】
前記裏面シートの前記長手方向の伸長強度及び前記裏面シートの前記幅方向の伸長強度は、いずれも２．０Ｎ／２５ｍｍ以上である、請求項１０又は請求項１１に記載の吸収性物品。
【請求項１３】
前記吸収性物品は、前記長手方向の中心に位置する第３領域と、前記第３領域よりも前記長手方向の外側に位置する第４領域と、を有し、
前記第４領域の前記幅方向の最大幅は、前記第３領域の前記幅方向の最大幅よりも長く、
前記第４領域の前記圧搾部は、前記第３領域における前記圧搾部よりも前記幅方向の長さが長い幅広部を有しており、
前記幅広部は、前記第４領域の前記最大幅の位置に設けられている、請求項９から請求項１２のいずれか１項に記載の吸収性物品。
【請求項１４】
前記粘着部は、前記幅方向に沿って延び、かつ前記長手方向に間隔を空けて複数設けられており、
前記長手方向において最も外側に位置する前記粘着部は、前記幅方向において前記幅広部と重なっている、請求項１３に記載の吸収性物品。
【請求項１５】
前記長手方向において最も外側に位置する前記粘着部は、前記吸収性物品の外縁に到達し、かつ前記厚み方向において前記幅広部と重なっている、請求項１４に記載の吸収性物品。
【請求項１６】
前記外側領域において、前記裏面シートの肌対向面には、前記表面シートと前記裏面シートとを接着するための接着剤が塗布された接着部が設けられている、請求項１から請求項１５のいずれか１項に記載の吸収性物品。
【請求項１７】
前記外側領域において、前記表面シートの非肌対向面には、前記表面シートと前記裏面シートとを接着するための接着剤が塗布された接着部が設けられている、請求項１から請求項１６のいずれか１項に記載の吸収性物品。
【発明の詳細な説明】
【技術分野】
【０００１】
本発明は、パンティライナー、軽失禁パッド等、下着に装着して使用する吸収性物品に関する。
【背景技術】
【０００２】
従来から、下着に装着し、おりもの、汗、尿などの体液を吸収する吸収性物品が用いられている。特許文献１の吸収性物品は、表面シートと、裏面シートと、表面シートと裏面シートの間に配置され、少なくともパルプと高吸収性ポリマーを有する吸収体と、裏面シートの非肌対向面に配置された粘着部と、を有する。特許文献１の裏面シートは、非通気性又は通気性のフィルムによって構成されている（特許文献１の段落００１９）。
【先行技術文献】
【特許文献】
【０００３】
【特許文献１】特開２０１５−１５４８８１号
【発明の概要】
【発明が解決しようとする課題】
【０００４】
特許文献１には、通気性のフィルムによって裏面シートを構成することにより、蒸れを低減できることが記載されている。しかし、裏面シートの非肌対向面には、粘着部が設けられており、通気性の裏面シートを介して湿気が粘着部に到達することがある。粘着部に湿気が到達すると、粘着部の粘着力が弱くなるおそれがある。そのため、意図せずに吸収性物品が下着に対してずれ、身体に対して適切な位置に装着し続けることができず、体液の漏れが発生することがあった。
【０００５】
よって、蒸れを低減して装着感を向上しつつ、身体に対して適切な位置に装着し続けることによって体液の漏れを抑制できる吸収性物品が望まれる。
【課題を解決するための手段】
【０００６】
一態様に係る吸収性物品は、互いに直交する長手方向及び幅方向と、液透過性の表面シートと、通気性かつ液不透過性の裏面シートと、前記表面シートと前記裏面シートの間に配置され、少なくともパルプと高吸収性ポリマーを有する吸収体と、前記裏面シートの非肌対向面に配置された粘着部と、を有する吸収性物品であって、前記吸収体の外縁は、前記吸収性物品の外縁よりも内側に位置しており、前記吸収体の外縁と前記吸収性物品の外縁との間の外側領域には、前記高吸収性ポリマーと前記粘着部が厚み方向に重なって配置された重畳部が設けられている。
【図面の簡単な説明】
【０００７】
【図１】実施形態に係る吸収性物品の肌対向面側から見た平面図である。
【図２】図１に示す吸収性物品の非肌対向面側から見た平面図である。
【図３】図１に示す吸収性物品のＡ−Ａ断面に沿った模式断面図である。
【図４】図１に示す吸収性物品のＢ−Ｂ断面に沿った模式断面図である。
【発明を実施するための形態】
【０００８】
（１）実施形態の概要
本明細書及び添付図面の記載により、少なくとも以下の事項が明らかとなる。
一態様に係る吸収性物品は、互いに直交する長手方向及び幅方向と、液透過性の表面シートと、通気性かつ液不透過性の裏面シートと、前記表面シートと前記裏面シートの間に配置され、少なくともパルプと高吸収性ポリマーを有する吸収体と、前記裏面シートの非肌対向面に配置された粘着部と、を有する吸収性物品であって、前記吸収体の外縁は、前記吸収性物品の外縁よりも内側に位置しており、前記吸収体の外縁と前記吸収性物品の外縁との間の外側領域には、前記高吸収性ポリマーと前記粘着部が厚み方向に重なって配置された重畳部が設けられている。
【０００９】
本態様によれば、高吸収性ポリマーは、吸収体が配置された領域と、外側領域と、に配置されている。よって、吸収体を超えて尿が排出された場合であっても、外側領域の高吸収性ポリマーによって尿等を保持できる。また、裏面シートが通気性を有するため、尿や汗の吸収時に裏面シートを介して湿気を吸収性物品外に排出し易い。よって、蒸れを低減して装着感を向上できる。外側領域には、高吸収性ポリマーと粘着部が厚み方向に重なった重畳部が設けられている。重畳部に体液が到達すると、高吸収性ポリマーによって体液を保持し、当該体液が裏面シートに到達し難い。そのため、重畳部における粘着部は、裏面シート側からの湿気が到達し難く、粘着力を保持できる。身体に対して適切な位置に装着し続けることができ、体液の漏れを抑制できる。
【００１０】
好ましい一態様によれば、前記外側領域には、前記高吸収性ポリマー及び前記粘着部が配置されていない非配置部が設けられてよい。
【００１１】
本態様によれば、非配置部は、高吸収性ポリマー及び粘着部が配置されていないため、高吸収性ポリマーが配置された部分及び粘着部が配置された部分と比較して高い通気性を有する。当該非配置部によって通気性を確保できる。蒸れをより低減し、装着感を向上できる。
【００１２】
他の態様に係る吸収性物品は、前記外側領域には、前記高吸収性ポリマーが配置され、かつ前記粘着部が配置されていないポリマー配置部が設けられてよい。
【００１３】
本態様によれば、ポリマー配置部は、粘着部を有してなく、下着に対して移動し易い部分であるため、高吸収性ポリマーが変形（膨潤）し易い。当該ポリマー配置部に配置された高吸収性ポリマーは、重畳部に配置された高吸収性ポリマーと比較して、膨潤し易く、体液の吸収性能を確保できる。
【００１４】
好ましい一態様によれば、前記外側領域には、前記粘着部が配置され、かつ前記高吸収性ポリマーが配置されていない粘着配置部が設けられ、前記粘着配置部と前記ポリマー配置部は、平面視にて隣接してよい。
【００１５】
本態様によれば、ポリマー配置部の高吸収性ポリマーによって当該ポリマー配置部に到達した体液のみならず、周辺の湿気も吸収できる。よって、ポリマー配置部に隣接した粘着配置部の湿気を低減できる。粘着配置部では、湿気を通さずに空気を透過させることができ、粘着部の粘着力を保持できる。
【００１６】
好ましい一態様によれば、前記外側領域は、前記吸収体側の第１領域と、前記吸収性物品の外縁側の第２領域と、を有し、前記第１領域における前記高吸収性ポリマーの密度は、前記第２領域の高吸収性ポリマーの密度よりも高くてよい。
【００１７】
本態様によれば、第１領域は、高吸収性ポリマーの密度が高く、吸収体が保持しきれなかった体液を保持できる。第２領域は、排泄部から離れた汗をかきやすい領域に当接する。第２領域によって排泄物よりも水分排出量の少ない汗を確実に吸収できる。また、第２領域の高吸収性ポリマーの密度が低いため、高吸収性ポリマーが膨張したときの凹凸による肌への違和感を低減できる。
【００１８】
好ましい一態様によれば、前記吸収体は、前記吸収体の厚み方向の中心を含む中央領域と、前記中央領域よりも前記厚み方向の外側に位置する表面側領域と、を有し、前記中央領域における前記高吸収性ポリマーの密度は、前記表面側領域の高吸収性ポリマーの密度よりも高くてよい。
【００１９】
好ましい一態様によれば、前記吸収体の肌対向面側の親水度は、前記吸収体の非肌対向面側の親水度よりも高くてよい。
【００２０】
本態様によれば、吸収体の肌対向面側の親水度が高いため、表面シートに排泄された体液を素早く引き込み、吸収体内の高吸収性ポリマーによって体液を保持できる。また、吸収体の非肌対向面側の親水度が低いため、吸収体内の体液が裏面シートまで到達し難くなる。よって、粘着部に体液の水分が到達し難くなり、水分の到達による粘着力の低下を抑制し、吸収性物品のよれを抑制することができる。
【００２１】
本態様によれば、中央領域における高吸収性ポリマーの密度が高く、体液の吸収時に中央領域が膨張し易い。よって、体液の吸収容量を確保できる。また、表面側領域における高吸収性ポリマーの密度が低く、体液の吸収時に表面側領域が膨潤し難い。表面側領域には、高吸収性ポリマーの膨潤による凹凸が形成され難いため、吸収体の厚み方向の外側に位置する表面シートや裏面シートに吸収体の凹凸が伝わり難くなる。表面シートや裏面シートへ凹凸が伝わることによる装着時の違和感を低減できる。
【００２２】
好ましい一態様によれば、前記外側領域には、少なくとも前記表面シート及び前記裏面シートを厚み方向に圧縮した圧搾部が設けられており、前記圧搾部は、前記吸収性物品の外縁に沿って配置されてよい。
【００２３】
本態様によれば、圧搾部に体液が到達しても、密度が高い圧搾部内を体液が拡散し、圧搾部よりも外側に体液が到達し難くなる。
【００２４】
好ましい一態様によれば、前記圧搾部では、前記表面シート、前記裏面シート及び前記粘着部が厚み方向に圧縮されてよい。
【００２５】
本態様によれば、裏面シート、表面シート及び粘着部が一緒に圧縮されることで、裏面シートと粘着部が共に圧搾部による凹部に入りこむので、仮に湿気が粘着部に到達し、粘着性が低下しても粘着部と裏面シートが剥離し難い。
【００２６】
好ましい一態様によれば、前記裏面シートの伸長強度は、前記表面シートの伸長強度よりも低くてよい。
【００２７】
本態様によれば、圧搾部の形成時に裏面シートが伸長し難く、裏面シートが薄くなり難い。よって、圧搾部を介して湿気が透過し難く、湿気の到達による粘着部の強度低下を抑制できる。また、裏面シートの伸長強度が低いため、裏面シート側における圧搾部による凹凸の高さが表面シート側における圧搾部による凹凸の高さよりも低くなる。よって、下着と裏面シートの隙間を小さくでき、吸収性物品を下着に安定して固定できる。
【００２８】
好ましい一態様によれば、前記裏面シートの前記長手方向の伸長強度に対する前記裏面シートの前記幅方向の伸長強度の比率は、０．７以上１．３以下であってよい。
【００２９】
本態様によれば、裏面シートの長手方向の伸長強度と幅方向の伸長強度のバラツキが少なく、圧搾部の形成時に裏面シートが厚み方向に凹みにくくなる。よって、下着と裏面シートの隙間を小さくでき、吸収性物品を下着に安定して固定できる。
【００３０】
好ましい一態様によれば、前記裏面シートの前記長手方向の伸長強度及び前記裏面シートの前記幅方向の伸長強度は、いずれも２．０Ｎ／２５ｍｍ以上であってよい。
【００３１】
本態様によれば、裏面シートの長手方向の伸長強度及び裏面シートの幅方向の伸長強度が下着から吸収性物品を剥がす際に裏面シートにかかる力よりも強く、裏面シートが意図せずに破れることを抑制できる。
【００３２】
好ましい一態様によれば、前記吸収性物品は、前記長手方向の中心に位置する第３領域と、前記第３領域よりも長手方向の外側に位置する第４領域と、を有し、前記第４領域の前記幅方向の最大幅は、前記第３領域の前記幅方向の最大幅よりも長く、前記第４領域の前記圧搾部は、前記第３領域における前記圧搾部よりも前記幅方向の長さが長い幅広部を有しており、前記幅広部は、前記第４領域の前記最大幅の位置に設けられてよい。
【００３３】
第４領域の最大幅における吸収性物品の外縁は、脚の力等の外力がかかり易い。当該最大幅の位置に幅広部が設けられているため、圧搾部の幅広部によって最大幅の位置の剛性を高めることができ、外力によって吸収性物品がよれたり、下着からずれたりする不具合を抑制できる。
【００３４】
好ましい一態様によれば、前記粘着部は、前記幅方向に沿って延び、かつ前記長手方向に間隔を空けて複数設けられており、前記長手方向において最も外側に位置する前記粘着部は、前記幅方向において前記幅広部と重なってよい。
【００３５】
長手方向において最も外側に位置する粘着部は、身体や下着から長手方向に沿った力を受けやすい。当該粘着部が幅方向において幅広部に重なっているため、圧搾部の幅広部によって最も外側に位置する粘着部の剛性を高めることができ、外力によって吸収性物品がよれたり、下着からずれたりする不具合を抑制できる。
【００３６】
好ましい一態様によれば、前記長手方向において最も外側に位置する前記粘着部は、前記吸収性物品の外縁に到達し、かつ前記厚み方向において前記幅広部と重なってよい。
【００３７】
本態様によれば、圧搾部の幅広部によって最も外側に位置する粘着部の剛性をより高めることができ、外力によって吸収性物品がよれたり、下着からずれたりする不具合を抑制できる。
【００３８】
好ましい一態様によれば、前記外側領域において、前記裏面シートの肌対向面には、前記表面シートと裏面シートとを接着するための接着剤が塗布された接着部が設けられてよい。
【００３９】
本態様によれば、裏面シート側の接着部によって高吸収性ポリマーが裏面シートに接着する。裏面シートに設けられた粘着部に体液が到達する直前に体液を保持することでき、粘着部の粘着力をより維持し易い。加えて、高吸収性ポリマーと表面シートが接着されていないため、高吸収性ポリマーが膨潤する空間が表面シート側に形成され易く、高吸収性ポリマーが膨潤し易くなる。
【００４０】
他の態様によれば、前記外側領域において、前記表面シートの非肌対向面には、前記表面シートと前記裏面シートとを接着するための接着剤が塗布された接着部が設けられてよい。
【００４１】
本態様によれば、表面シート側の接着部によって高吸収性ポリマーが表面シートに接着する。よって、表面シートから透過した体液を表面シート側で直ぐに吸収することができる。加えて、高吸収性ポリマーと裏面シートが接着されていないため、高吸収性ポリマーが膨潤する空間が裏面シート側に形成され易く、高吸収性ポリマーが膨潤し易くなる。
【００４２】
（２）吸収性物品の全体概略構成
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００４３】
吸収性物品は、パンティライナーである。なお、本発明に係る吸収性物品は、下着に装着して使用する吸収性物品であればよく、例えば、軽失禁パッドであってもよい。図１は、本実施形態に係る吸収性物品１の肌対向面側から見た平面図である。図２は、図１に示す吸収性物品の非肌対向面側から見た平面図である。図３は、図１に示す吸収性物品のＡ−Ａ断面に沿った模式断面図である。図４は、図１に示す吸収性物品のＢ−Ｂ断面に沿った模式断面図である。
【００４４】
吸収性物品１は、互いに直交する長手方向Ｌ及び幅方向Ｗを有する。長手方向Ｌは、身体前側と身体後側とに延びる方向によって規定される。言い換えると、長手方向Ｌは、展開された吸収性物品１において前後に延びる方向である。また、吸収性物品１は、長手方向Ｌと幅方向Ｗの両方の直交する厚み方向Ｔを有する。厚み方向Ｔは、着用者側に向かう肌対向面側Ｔ１と、肌対向面側と反対側の非肌対向面側Ｔ２と、に延びる。
【００４５】
吸収性物品１は、表面シート１０と、裏面シート２０と、吸収体３０と、を少なくとも有する。表面シート１０は、例えば不織布や開孔プラスチックフィルムのような液透過性のシートによって構成されていてよい。表面シート１０は、複数のシートが積層されて構成されてもよいし、セカンドシートを有してもよい。例えば、コットン繊維を含むコットンシートと、レーヨンとポリエチレンからなるシートと、の積層による肌面側シートによよって表面シート１０を構成してもよいし、当該肌面側シートと、エアスルー不織布によるセカンドシートと、によって表面シート１０を構成してもよい。本実施の形態の表面シート１０は、エアスルー不織布によって構成されている。より好ましくは、表面シート１０の吸収体側の面は、エアスルー不織布によって構成されてよい。エアスルー不織布は、繊維間の空隙が比較的大きく、後述する吸収体の高吸収性ポリマーを均一に配置し易くなる。よって、吸収性物品全体に亘って高吸収性ポリマーが膨潤し易くなり、吸収性能を向上できる。
【００４６】
裏面シート２０は、例えば、プラスチックフィルムのような通気性かつ液不透過性のシートによって構成されてよい。裏面シート２０が通気性を有するため、尿や汗の吸収時に裏面シート２０を介して湿気を吸収性物品外に排出し易い。よって、蒸れを低減して装着感を向上できる。表面シート１０及び裏面シート２０は、吸収性物品の外側縁まで到達している。本実施の形態において、外側縁は、幅方向Ｗの外側端であり、前端縁は、前側の縁であり、後端縁は、後側の縁である。また、外縁は、外側縁、前端縁及び後端縁を含む外周全体の縁である。
【００４７】
裏面シート２０の非肌対向面には、吸収性物品１を下着に装着するための粘着部５０が配置されている。粘着部５０は、幅方向Ｗに延び、長手方向Ｌに間隔を空けて複数設けられている。粘着部５０は、吸収性物品１の外縁１Ｅに到達してよい。粘着部５０は、長手方向Ｌにおいて最も外側に位置する粘着部５１を有する。長手方向Ｌにおいて最も外側に位置する粘着部５１は、吸収性物品１の最大幅ＰＭよりも長手方向Ｌの外側に位置してよい。この吸収性物品の最大幅ＰＭは、後述する第４領域の最大幅である。なお、変形例において、粘着部５０は、長手方向Ｌに延び、幅方向Ｗに間隔を空けて配置されてもよい。
【００４８】
吸収体３０は、表面シート１０と裏面シート２０の間に配置されている。吸収体３０は、少なくともパルプ３１と高吸収性ポリマー（ＳＡＰ）３２等の吸収材料を有する。吸収体がパルプを有しており、当該パルプによっておりものを吸収できる。また、吸収体が高吸収性ポリマー３２を有しており、当該高吸収性ポリマー３２によって尿や汗を吸収できる。吸収体３０は、シート状の吸収体であってよい。吸収体３０は、吸収材料を包むコアラップを有してもよい。吸収体３０は、図３に示すように、吸収体の厚み方向の中心を含む中央領域ＲＣと、中央領域ＲＣよりも厚み方向Ｔの外側に位置する表面側領域ＲＳと、を有する。表面側領域ＲＳは、中央領域ＲＣの肌対向面側Ｔ１と非肌対向面側Ｔ２にそれぞれ設けられている。表面側領域ＲＳと中央領域ＲＣの境界は、吸収体３０を厚み方向に三等分する境界である。
【００４９】
吸収体３０の外縁３０Ｅは、吸収性物品１の外縁１Ｅよりも内側に位置する。すなわち、吸収体３０の前端縁３０Ｆは、吸収性物品１の前端縁１Ｆよりも後側に位置し、吸収体３０の後端縁３０Ｒは、吸収性物品１の後端縁１Ｒよりも前側に位置し、吸収体３０の外側縁３０Ｓは、吸収性物品１の外側縁１Ｓよりも幅方向Ｗの内側に位置する。吸収体３０の外縁３０Ｅと吸収性物品１の外縁１Ｅの間には、外側領域ＲＯが設けられている。外側領域ＲＯは、図１において斜線を付した領域である。外側領域ＲＯには、表面シート１０と裏面シート２０が配置されている。外側領域ＲＯには、パルプ３１が配置されてなく、高吸収性ポリマー３２が配置されている。高吸収性ポリマー３２は、吸収体が配置された領域と、外側領域と、に配置されている。よって、吸収体を超えて尿が排出された場合であっても、当該高吸収性ポリマー３２によって尿等を保持できる。加えて、高吸収性ポリマー３２によって、水分に溶け込んだアンモニア成分や気体アンモニアを吸着でき、臭いも低減できる。
【００５０】
本実施の形態の吸収性物品は、パンティライナーとして長期間に亘って使用されるものである。パルプによっておりものや汗などの体液を吸収するとともに、高吸収性ポリマー３２によって軽失禁による体液をも吸収できる。本実施の形態の吸収性物品は、おりもののみならず尿を吸収しても、通気性の裏面シート２０によって湿気を外に逃がし、さらさらの装着感を維持することが可能である。
【００５１】
図４は、外側領域ＲＯにおける吸収性物品の断面を模式的に示した図である。外側領域ＲＯには、高吸収性ポリマー３２と粘着部５０が厚み方向Ｔに重なって配置された重畳部Ｐ１が設けられている。重畳部Ｐ１には、肌対向面側Ｔ１から非肌対向面側Ｔ２に向かって、表面シート１０、高吸収性ポリマー３２、裏面シート２０及び粘着部５０が配置されている。重畳部Ｐ１に体液が到達すると、高吸収性ポリマー３２によって体液を保持し、当該体液が裏面シート２０に到達し難い。そのため、重畳部Ｐ１における粘着部５０は、裏面シート２０側からの湿気が到達し難く、粘着力を保持できる。重畳部Ｐ１において粘着部５０の粘着力を保持でき、意図せずに吸収性物品１が下着に対してずれることを抑制できる。身体に対して適切な位置に装着し続けることができ、体液の漏れを抑制できる。よって、蒸れを低減して装着感を向上しつつ、身体に対して適切な位置に装着し続けることによって体液の漏れを抑制できる。
【００５２】
外側領域ＲＯには、高吸収性ポリマー３２及び粘着部５０が配置されていない非配置部Ｐ２が設けられてよい。非配置部Ｐ２には、肌対向面側Ｔ１から非肌対向面側Ｔ２に向かって、表面シート１０及び裏面シート２０が配置されている。非配置部Ｐ２は、高吸収性ポリマー３２及び粘着部５０が配置されていないため、高吸収性ポリマー３２が配置された部分及び粘着部５０が配置された部分と比較して高い通気性を有する。当該非配置部Ｐ２によって通気性を確保できる。蒸れをより低減し、装着感を向上できる。
【００５３】
外側領域ＲＯには、高吸収性ポリマー３２が配置され、かつ粘着部５０が配置されていないポリマー配置部Ｐ３が設けられてよい。ポリマー配置部Ｐ３には、肌対向面側Ｔ１から非肌対向面側Ｔ２に向かって、表面シート１０及び裏面シート２０が配置されている。ポリマー配置部Ｐ３は、粘着部５０が配置されていないため、下着に対して接合されずに比較的移動し易い部分であり、高吸収性ポリマー３２が変形（膨潤）し易い。当該ポリマー配置部に配置された高吸収性ポリマー３２は、重畳部に配置された高吸収性ポリマー３２と比較して、膨潤し易く、体液の吸収性能をより確保できる。
【００５４】
外側領域ＲＯには、粘着部５０が配置され、かつ高吸収性ポリマー３２が配置されていない粘着配置部Ｐ４が設けられよい。粘着配置部Ｐ４には、肌対向面側Ｔ１から非肌対向面側Ｔ２に向かって、表面シート１０、裏面シート２０及び粘着部５０が配置されている。ポリマー配置部Ｐ３は、粘着配置部Ｐ４と非配置部Ｐ２のうち少なくとも一方と平面視にて隣接してよい。ポリマー配置部Ｐ３の高吸収性ポリマーに３２よって当該ポリマー配置部Ｐ３に到達した体液のみならず、周辺の湿気も吸収できる。よって、ポリマー配置部Ｐ３に隣接した粘着配置部Ｐ４や非配置部Ｐ２の湿気を低減できる。このような構成によれば、粘着配置部Ｐ４では、湿気を通さずに空気を透過させることができ、粘着部５０の粘着力を保持できる。
【００５５】
外側領域ＲＯには、表面シート１０及び裏面シート２０を厚み方向Ｔに圧縮した圧搾部６０が設けられてよい。圧搾部６０は、吸収性物品１の外縁１Ｅに沿って設けられよい。圧搾部６０は、吸収性物品１の外縁１Ｅよりも内側において複数設けられ、間隔を空けて外縁１Ｅに沿って配置されていてもよい。圧搾部６０が設けられていることにより、外側領域ＲＯの圧搾部６０に体液が到達しても、密度が高い圧搾部６０内を体液が拡散するので、圧搾部６０よりも外側に体液が到達し難くなる。また、外側領域ＲＯの非配置部及び粘着配置部は、高吸収性ポリマー３２が配置されてなく、圧搾部６０の形成時に裏面シート等が破れ難い。よって、下着への粘着性を確保したり、シートの破れによる体液の漏れを抑制したりできる。
【００５６】
圧搾部６０では、表面シート１０、裏面シート２０及び粘着部５０が厚み方向に圧縮されてよい。裏面シート２０、表面シート１０及び粘着部５０が一緒に圧縮されることで、裏面シート２０と一緒に粘着部５０が形成された凹部に入りこむので、仮に湿気が粘着部５０に到達し、粘着性が低下しても粘着部５０と裏面シート２０が剥離し難い。
【００５７】
裏面シート２０の伸長強度は、表面シート１０の伸長強度よりも高くてよい。より好ましくは、裏面シート２０の伸長強度は、吸収性物品を構成する他の資材（表面シート、吸収体等）の伸長強度よりも高くてよい。ここで、伸長強度は、平面方向のシートの伸び難さを指標する値であり、具体的には、次の測定方法によって測定できる。 (1)引張試験機及び(2)打ち抜き型（長方形型  長さ４４ｍｍ×幅２５ｍｍ）を用いて行う。手順としては、まず、試験片を準備する。試験片は、吸収性物品をトルエンに浸し、表面シートと裏面シートに分け、測定対象のシートを４５ｍｍ×２５ｍｍの寸法で打ち抜き型で打ち抜いて作成する。試験片の中央にチャック間隔３０ｍｍがとれるように、試験片の長手方向（４５ｍｍ）の両端から７ｍｍまでの長さの部分にそれぞれつかみ部を設ける。つかみ部は、長さ５０ｍｍ、幅３０ｍｍのアルミテープで試験片を両面から挟んで作成する。次いで、チャック間隔：３０ｍｍ、引張速度：５００ｍｍ／ｍｉｎで測定する。長手方向及び幅方向のそれぞれの５％伸度時の強度（Ｎ／２５ｍｍ）と最大伸長強度（Ｎ／２５ｍｍ）を計測する。
【００５８】
本発明における表面シートと裏面シートの伸長強度の関係は、次のように規定する。表面シートの長手方向の５％の伸度強度が裏面シートの長手方向の５％の伸度強度よりも高く、かつ、表面シートの幅方向の５％の伸度強度が裏面シートの幅方向の５％の伸度強度よりも高い場合には、表面シート１０の伸長強度が裏面シートの伸長強度よりも高いこととする。一方、表面シートの長手方向の５％の伸度強度が裏面シートの長手方向の５％の伸度強度よりも高く、かつ、表面シートの幅方向の５％の伸度強度が裏面シートの幅方向の５％の伸度強度よりも低い場合、表面シートの長手方向の５％の伸度強度が裏面シートの長手方向の５％の伸度強度よりも低く、かつ、表面シートの幅方向の５％の伸度強度が裏面シートの幅方向の５％の伸度強度よりも低い場合、及び表面シートの長手方向の５％の伸度強度が裏面シートの長手方向の５％の伸度強度よりも低く、かつ、表面シートの幅方向の５％の伸度強度が裏面シートの幅方向の５％の伸度強度よりも高い場合は、いずれも、裏面シート２０の伸長強度が表面シート１０の伸長強度よりも高いこととする。
【００５９】
裏面シート２０の伸長強度は、表面シート１０の伸長強度よりも高いため、圧搾部６０の形成時に裏面シート２０が伸長し難く、裏面シート２０が薄くなり難い。よって、圧搾部６０を介して湿気が透過し難く、湿気の到達による粘着部５０の強度低下を抑制できる。また、裏面シート２０の伸長強度が高く、裏面シートが伸び難いため、裏面シート２０側における圧搾部による凹凸の高さが表面シート１０側における圧搾部による凹凸の高さよりも低くなる。よって、下着と裏面シートの隙間を小さくでき、吸収性物品を下着に安定して固定できる。なお、本実施の形態の表面シートは、長手方向又は幅方向の一方のみに延伸するように構成されており、裏面シートは、長手方向及び幅方向の両方向に延伸するように構成されている。両方向に伸長可能であることにより、伸長強度が低くなり易い。
【００６０】
裏面シートの長手方向の伸長強度に対する裏面シートの幅方向の伸長強度の比率は、０．７以上１．３以下であってよい。より好適には、当該比率は、０．９以上１．１以下であってよい。裏面シートの長手方向の伸長強度に対する裏面シートの幅方向の伸長強度の比率は、０．７以上１．３以下であることにより、裏面シートの長手方向の伸長強度と幅方向の伸長強度のバラツキが少なく、圧搾部の形成時に裏面シートが厚み方向に凹みにくくなる。よって、下着と裏面シートの隙間を小さくでき、吸収性物品を下着に安定して固定できる。
【００６１】
裏面シートの長手方向の伸長強度及び裏面シートの幅方向の伸長強度は、いずれも２．０Ｎ／２５ｍｍ以上であってよく、より好適には、５．０Ｎ／２５ｍｍ以上であってよい。裏面シートの伸長強度が２．０Ｎ／２５ｍｍ以上であることにより、下着から吸収性物品を剥がす際に裏面シートにかかる力よりも強く、裏面シートが意図せずに破れることを抑制できる。
【００６２】
外側領域ＲＯは、図３に示すように、吸収体３０側の第１領域Ｒ１と、吸収性物品１の外縁１Ｅ側の第２領域Ｒ２と、を有する。第１領域Ｒ１と第２領域Ｒ２の境界は、吸収性物品１の外縁１Ｅと吸収体３０の外縁３０Ｅの中心である。第１領域Ｒ１における高吸収性ポリマー３２の密度は、第２領域Ｒ２の高吸収性ポリマー３２の密度よりも高くてよい。第１領域Ｒ１は、高吸収性ポリマー３２の密度が高く、吸収体３０が保持しきれなかった体液を保持できる。第２領域Ｒ２は、排泄部から離れた汗をかきやすい領域に当接する。第２領域Ｒ２によって排泄物よりも水分排出量の少ない汗を確実に吸収できる。また、第２領域Ｒ２の高吸収性ポリマーの密度が低いため、高吸収性ポリマー３２が膨張したときの凹凸による肌への違和感を低減できる。なお、当該密度の測定方法としては、第１領域と第２領域のそれぞれにおいて同面積の試験片を切り取り、その試験片に含まれる高吸収性ポリマーを取り出し、重量を測定することによって、密度を測定することができる。
【００６３】
吸収体３０よりも幅方向Ｗの外側に位置する外側領域ＲＯにおける高吸収性ポリマー３２の密度は、吸収体３０よりも長手方向Ｌの外側に位置する外側領域ＲＯ第２領域の高吸収性ポリマー３２の密度よりも高くてよい。吸収体３０よりも幅方向Ｗの外側に位置する外側領域ＲＯは、着用者の脚の根元が当たり易い。比較的汗をかきやすい脚の根元に当たる領域で、汗等による湿気を吸収することができる。なお、当該密度の測定方法としては、第１領域と第２領域の測定方法と同様に、それぞれの領域において同面積の試験片を切り取り、その試験片に含まれる高吸収性ポリマーを取り出し、重量を測定することによって、密度を測定することができる。
【００６４】
吸収体内において高吸収性ポリマー３２の密度は、一定であってもよいし、異なっていてもよい。図３に示すように、吸収体３０の中央領域ＲＣにおける高吸収性ポリマー３２の密度は、吸収体３０の表面側領域ＲＳの高吸収性ポリマー３２の密度よりも高くてよい。中央領域における高吸収性ポリマー３２の密度が高いため、体液の吸収時に中央領域ＲＣが膨張し易い。よって、体液の吸収容量を確保できる。また、表面側領域ＲＳにおける高吸収性ポリマー３２の密度が低く、体液の吸収時に表面側領域ＲＳが膨潤し難い。表面側領域ＲＳには、高吸収性ポリマー３２の膨潤による凹凸が形成され難いため、吸収体の厚み方向の外側に位置する表面シート１０や裏面シート２０に吸収体の凹凸が伝わり難くなる。表面シート１０や裏面シート２０へ凹凸が伝わることによる装着時の違和感を低減できる。なお、当該密度の測定方法としては、吸収性物品を厚み方向に沿った断面で切断し、当該断面を電子写真で撮影し、各領域において同面積に含まれる高吸収性ポリマーの個数を計測し、個数が多いほど密度が高くなるものとして測定できる。
【００６５】
吸収体３０の肌対向面側Ｔ１の親水度は、吸収体３０の非肌対向面側Ｔ２の親水度よりも高くてよい。ここで、親水度とは、吸収体が水を引きつける強さを意味しており、親水度の高い側では親水度が低い側に比べて液を吸収する力が強くなる。吸収体３０の肌対向面側Ｔ１の親水度が高いため、表面シート１０に排泄された体液を素早く引き込み、吸収体３０内の高吸収性ポリマー３２によって体液を保持できる。また、吸収体３０の非肌対向面側Ｔ２の親水度が低いため、吸収体３０内の体液が裏面シート２０まで到達し難くなる。よって、粘着部５０に体液の水分が到達し難くなり、水分の到達による粘着力の低下を抑制し、吸収性物品のよれを抑制することができる。
【００６６】
吸収体の親水度を厚み方向に異ならせる方法としては、例えば、吸収体を肌対向面側の上層と、非肌対向面側の下層と、の２層で構成し、吸収材料を固めるためのバインダーの親水度を上層と下層によって異ならせることができる。上層のバインダーとして、親水剤を含むものを用い、下層のバインダーとして、親水剤を含まないものを用いる。
【００６７】
また、親水度は、次の方法によって測定できる。(1)濾紙を５枚重ねて水平に置き、濾紙の上に測定対象の試験片をのせる。(2)縦方向及び横方向のそれぞれにおいて２ｃｍ間隔で試験片に印を付す。ピペットで人工尿１滴（約0.05g）を２０箇所に滴下する。人工尿の滴下は、１分１０秒で２０カ所に行う。(3)２０箇所滴下終了から３０秒放置した後、試験片に吸収されている箇所を数える。試験片の吸収箇所が多い程、親水度が高いものとする。
【００６８】
外側領域ＲＯにおいて、裏面シート２０の肌対向面には、表面シート１０と裏面シート２０とを接着するための接着剤が塗布された接着部７０が設けられてよい。接着剤としては、例えば、ホットメルト型接着剤を例示できる。裏面シート側の接着部によって高吸収性ポリマー３２が裏面シート２０に接着する。裏面シート２０に設けられた粘着部５０に体液が到達する直前に体液を保持することでき、粘着部５０の粘着力をより維持し易い。加えて、高吸収性ポリマー３２と表面シート１０が接着されていないため、高吸収性ポリマー３２が膨潤する空間が表面シート１０側に形成され易く、高吸収性ポリマー３２が膨潤し易くなる。
【００６９】
図１に示すように、吸収性物品１は、長手方向Ｌの中心に位置する第３領域Ｒ３と、第３領域よりも長手方向Ｌの外側に位置する第４領域Ｒ４と、を有する。第３領域Ｒ３と第４領域Ｒ４の境界は、吸収性物品を長手方向Ｌに三等分する境界である。第４領域の幅方向Ｗの最大幅は、第３領域の幅方向Ｗの最大幅よりも長い。
【００７０】
圧搾部６０は、第３領域Ｒ３と第４領域Ｒ４に跨がって設けられてよい。第４領域Ｒ４の圧搾部６０は、第３領域Ｒ３における圧搾部６０よりも幅方向Ｗの長さが長い幅広部６１を有している。幅広部６１は、図２において斜線を付した領域である。第３領域Ｒ３の圧搾部６０及び第４領域Ｒ４において幅広部６１よりも長手方向Ｌの内側に位置する圧搾部６０は、複数の円弧が連なった線状の圧搾部６５と、当該線状の圧搾部６５よりも内側かつ当該線状の圧搾部６０に沿って配置された点状の圧搾部６６と、によって構成されている。すなわち、２列の圧搾部が配置されている。これに対して幅広部６１では、複数の円弧が連なった線状の圧搾部６５の外側と内側にそれぞれ、当該線状の圧搾部６５に沿って配置された点状の圧搾部６６が設けられている。すなわち、３列の圧搾部が配置されている。幅広部６１は、第４領域の最大幅ＰＭの位置に設けられてよい。第４領域の最大幅における吸収性物品の外縁は、脚の力等の外力がかかり易い。当該最大幅の位置に幅広部６１が設けられているため、圧搾部６０の幅広部６１によって最大幅の位置の剛性を高めることができ、外力によって吸収性物品がよれたり、下着からずれたりする不具合を抑制できる。
【００７１】
また、幅広部６１は、長手方向Ｌにおいて最も外側に位置する粘着部５１と幅方向Ｗにおいて重なってよい。幅方向Ｗに重なった状態とは、幅広部６１の幅方向Ｗに延びる延長線上に粘着部５１が配置された状態である。長手方向において最も外側に位置する粘着部５１は、身体や下着から長手方向Ｌに沿った力を受けやすい。当該粘着部５１が幅方向Ｗにおいて幅広部６１に重なっているため、圧搾部６０の幅広部６１によって最も外側に位置する粘着部５１の剛性を高めることができ、外力によって吸収性物品がよれたり、下着からずれたりする不具合を抑制できる。
【００７２】
より好適には、長手方向Ｌにおいて最も外側に位置する粘着部５１は、吸収性物品の外縁１Ｅに到達し、かつ厚み方向Ｔにおいて幅広部６１と重なってよい。圧搾部６０の幅広部６１によって最も外側に位置する粘着部５０の剛性をより高めることができ、外力によって吸収性物品がよれたり、下着からずれたりする不具合を抑制できる。
【００７３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００７４】
例えば、変形例に係る吸収性物品は、外側領域ＲＯにおいて、表面シート１０の非肌対向面には、表面シート１０と裏面シート２０とを接着するための接着剤が塗布された接着部が設けられてよい。表面シート１０側の接着部によって高吸収性ポリマー３２が表面シート１０に接着する。よって、表面シート１０から透過した体液を表面シート１０側で直ぐに吸収することができる。加えて、高吸収性ポリマー３２と裏面シート２０が接着されていないため、高吸収性ポリマー３２が膨潤する空間が裏面シート２０側に形成され易く、高吸収性ポリマー３２が膨潤し易くなる。また、表面シート１０の非肌対向面がエアスルー不織布によって構成されている場合には、比較的嵩高であり、かつ繊維間の空隙が大きい不織布内に高吸収性ポリマー３２が入り込み易い。よって、高吸収性ポリマー３２の裏面シート２０側に膨潤するための空間がよりでき易くなり、吸収性能を高めることができる。
【産業上の利用可能性】
【００７５】
本発明によれば、蒸れを低減して装着感を向上しつつ、身体に対して適切な位置に装着し続けることによって体液の漏れを抑制できる吸収性物品を提供できる。
【符号の説明】
【００７６】
１      吸収性物品
１０    表面シート
２０    裏面シート
３０    吸収体
３１    パルプ
３２    高吸収性ポリマー
５０    粘着部
５１    長手方向において最も外側に位置する粘着部
６０    圧搾部
６１    幅広部
７０    接着部
ＲＯ    外側領域
Ｒ１    第１領域
Ｒ２    第２領域
Ｒ３    第３領域
Ｒ４    第４領域
ＲＣ    中央領域
ＲＳ    表面側領域
Ｐ１    重畳部
Ｐ２    非配置部
Ｐ３    ポリマー配置部
Ｐ４    粘着配置部
ＰＭ  最大幅
【図１】
2019162298.tif 000003
【図２】
2019162298.tif 000004
【図３】
2019162298.tif 000005
【図４】
2019162298.tif 000006
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
互いに直交する長手方向及び幅方向と、
液透過性の表面シートと、
通気性かつ液不透過性の裏面シートと、
前記表面シートと前記裏面シートの間に配置され、少なくともパルプと高吸収性ポリマーを有する吸収体と、
前記裏面シートの非肌対向面に配置された粘着部と、を有する吸収性物品であって、
前記吸収体の外縁は、前記吸収性物品の外縁よりも内側に位置しており、
前記吸収体の外縁と前記吸収性物品の外縁との間の外側領域には、
前記高吸収性ポリマーと前記粘着部が厚み方向に重なって配置された重畳部と、
前記高吸収性ポリマーが配置され、かつ前記粘着部が配置されていないポリマー配置部と、
前記粘着部が配置され、かつ前記高吸収性ポリマーが配置されていない粘着配置部と、が設けられており、
前記粘着配置部と前記ポリマー配置部は、平面視にて隣接している、吸収性物品。
【請求項２】
互いに直交する長手方向及び幅方向と、
液透過性の表面シートと、
通気性かつ液不透過性の裏面シートと、
前記表面シートと前記裏面シートの間に配置され、少なくともパルプと高吸収性ポリマーを有する吸収体と、
前記裏面シートの非肌対向面に配置された粘着部と、を有する吸収性物品であって、
前記吸収体の外縁は、前記吸収性物品の外縁よりも内側に位置しており、
前記吸収体の外縁と前記吸収性物品の外縁との間の外側領域には、
前記高吸収性ポリマーと前記粘着部が厚み方向に重なって配置された重畳部と、
少なくとも前記表面シート及び前記裏面シートを前記厚み方向に圧縮した圧搾部と、が設けられており、
前記圧搾部は、前記吸収性物品の外縁に沿って配置されており、
前記圧搾部では、前記表面シート、前記裏面シート及び前記粘着部が前記厚み方向に圧縮されている、吸収性物品。
【請求項３】
前記裏面シートの伸長強度は、前記表面シートの伸長強度よりも高い、請求項２に記載の吸収性物品。
【請求項４】
前記裏面シートの前記長手方向の伸長強度に対する前記裏面シートの前記幅方向の伸長強度の比率は、０．７以上１．３以下である、請求項３に記載の吸収性物品。
【請求項５】
前記裏面シートの前記長手方向の伸長強度及び前記裏面シートの前記幅方向の伸長強度は、いずれも２．０Ｎ／２５ｍｍ以上である、請求項３又は請求項４に記載の吸収性物品。
【請求項６】
前記吸収性物品は、前記長手方向の中心に位置する第３領域と、前記第３領域よりも前記長手方向の外側に位置する第４領域と、を有し、
前記第４領域の前記幅方向の最大幅は、前記第３領域の前記幅方向の最大幅よりも長く、
前記第４領域の前記圧搾部は、前記第３領域における前記圧搾部よりも前記幅方向の長さが長い幅広部を有しており、
前記幅広部は、前記第４領域の前記最大幅の位置に設けられている、請求項２から請求項５のいずれか１項に記載の吸収性物品。
【請求項７】
前記粘着部は、前記幅方向に沿って延び、かつ前記長手方向に間隔を空けて複数設けられており、
前記長手方向において最も外側に位置する前記粘着部は、前記幅方向において前記幅広部と重なっている、請求項６に記載の吸収性物品。
【請求項８】
前記長手方向において最も外側に位置する前記粘着部は、前記吸収性物品の外縁に到達し、かつ前記厚み方向において前記幅広部と重なっている、請求項７に記載の吸収性物品。
【請求項９】
前記外側領域において、前記裏面シートの肌対向面には、前記表面シートと前記裏面シートとを接着するための接着剤が塗布された接着部が設けられている、請求項１から請求項８のいずれか１項に記載の吸収性物品。
【請求項１０】
前記外側領域において、前記表面シートの非肌対向面には、前記表面シートと前記裏面シートとを接着するための接着剤が塗布された接着部が設けられている、請求項１から請求項９のいずれか１項に記載の吸収性物品。
【請求項１１】
前記外側領域には、前記高吸収性ポリマー及び前記粘着部が配置されていない非配置部が設けられている、請求項１から請求項１０のいずれか１項に記載の吸収性物品。
【請求項１２】
前記外側領域は、前記吸収体側の第１領域と、前記吸収性物品の外縁側の第２領域と、を有し、
前記第１領域における前記高吸収性ポリマーの密度は、前記第２領域の前記高吸収性ポリマーの密度よりも高い、請求項１から請求項１１のいずれか１項に記載の吸収性物品。
【請求項１３】
前記吸収体は、前記吸収体の前記厚み方向の中心を含む中央領域と、前記中央領域よりも前記厚み方向の外側に位置する表面側領域と、を有し、
前記中央領域における前記高吸収性ポリマーの密度は、前記表面側領域の前記高吸収性ポリマーの密度よりも高い、請求項１から請求項１２のいずれか１項に記載の吸収性物品。
【請求項１４】
前記吸収体の肌対向面側の親水度は、前記吸収体の非肌対向面側の親水度よりも高い、請求項１から請求項１３のいずれか１項に記載の吸収性物品。